(57)【特許請求の範囲】
【請求項１】
空気膨張式のエアージャッキを重ね使用する際に該エアージャッキを拘束するためのエアージャッキ重ね使用補助具であって、
一対の方形枠状部材を其々の一辺で回動自在に連結した枠状部材連結体と、
前記枠状部材連結体の両自由端部に連結され、少なくとも一方面に摩擦係合面を有する一対の方形可撓板と、
前記方形可撓板に両端が固定されてエアージャッキを拘束するための第１拘束ベルトと、
前記方形可撓板に両端が固定され、前記第１拘束ベルトと交差方向に延びて、エアージャッキを拘束するための第２拘束ベルトと、
を備えることを特徴とする前記エアージャッキ重ね使用補助具。
【請求項２】
空気膨張式のエアージャッキを重ね使用する際に該エアージャッキを拘束するためのエアージャッキ重ね使用補助具であって、
偶数個の方形枠状部材を其々の辺でジグザグ状に伸縮可能に連結した枠状部材連結体と、
前記枠状部材連結体の両自由端部に連結され、少なくとも一方面に摩擦係合面を有する一対の方形可撓板と、
前記枠状部材連結体の連結部のうちの自由端部から数えて偶数番目の連結部の側の、前記方形枠状部材の一辺に連結され、少なくとも一方面に摩擦係合面を有する方形可撓板と、
前記方形可撓板に両端が固定されてエアージャッキを拘束するための第１拘束ベルトと、
前記方形可撓板に両端が固定され、前記第１拘束ベルトと交差方向に延びて、エアージャッキを拘束するための第２拘束ベルトと、
を備えることを特徴とする前記エアージャッキ重ね使用補助具。
【請求項３】
前記第１拘束ベルト及び前記第２拘束ベルトは、平ゴムベルトであることを特徴とする請求項１又は２に記載のエアージャッキ重ね使用補助具。
【請求項４】
前記第１拘束ベルトは、所定間隔をおいて複数本が平行に設けられていることを特徴とする請求項１〜３の何れかに記載のエアージャッキ重ね使用補助具。
【請求項５】
前記第２拘束ベルトは、所定間隔をおいて複数本が平行に設けられていることを特徴とする請求項１〜４の何れかに記載のエアージャッキ重ね使用補助具。
【請求項６】
前記方形枠状部材は、中空金属製角パイプによって方形枠状に形成されていることを特徴とする請求項１〜５の何れかに記載のエアージャッキ重ね使用補助具。
【請求項７】
前記方形可撓板は、帆布製芯体の表裏に合成樹脂製カバー層が積層され、表裏の少なくとも一方の前記合成樹脂製カバー層の表面に前記摩擦係合面が形成されていることを特徴とする請求項１〜６の何れかに記載のエアージャッキ重ね使用補助具。
【請求項８】
前記方形可撓板は、前記方形枠状部材と、該方形枠状部材の辺に沿って延びる帯状固定プレートとの間に挟持されていることを特徴とする請求項１〜７の何れかに記載のエアージャッキ重ね使用補助具。
【請求項９】
前記摩擦係合面が、凹凸により形成されていることを特徴とする請求項１〜８の何れかに記載のエアージャッキ重ね使用補助具。
【発明の詳細な説明】
【技術分野】
【０００１】
本発明は、エアージャッキを重ねて使用する際に使用する補助具に関する。
【背景技術】
【０００２】
従来、空気注入口を備え可撓性耐圧袋状体で形成された、空気膨張式のエアージャッキが知られている（例えば、特許文献１等）。
【先行技術文献】
【特許文献】
【０００３】
【特許文献１】特開２０１５−０７８０２７号公報
【発明の概要】
【発明が解決しようとする課題】
【０００４】
この種のエアージャッキは、一般に、空気を充填すると、エアージャッキの本体が、膨張により周面が丸みを帯び、接触面積が減少する。そのため、エアージャッキを重ねて使用すると、エアージャッキ同士がずれて不安定になり、危険性が増すおそれがある。
【０００５】
そこで、本発明は、空気膨張式のエアージャッキを重ねて使用する場合に、エアージャッキ同士の位置ズレを防止して、より高く持ち上げたり、或いは、隙間をより幅広くしたりすることを可能にする、エアージャッキ重ね使用補助具を提供することを主たる目的とする。
【課題を解決するための手段】
【０００６】
上記目的を達成するため、本発明の第１の手段は、空気膨張式のエアージャッキを重ね使用する際に該エアージャッキを拘束するためのエアージャッキ重ね使用補助具であって、一対の方形枠状部材を其々の一辺で回動自在に連結した枠状部材連結体と、前記枠状部材連結体の両自由端部に連結され、少なくとも一方面に摩擦係合面を有する一対の方形可撓板と、前記方形可撓板に両端が固定されてエアージャッキを拘束するための第１拘束ベルトと、前記方形可撓板に両端が固定され、前記第１拘束ベルトと交差方向に延びて、エアージャッキを拘束するための第２拘束ベルトと、を備える。
【０００７】
また、上記目的を達成するため、本発明の第２の手段は、空気膨張式のエアージャッキを重ね使用する際に該エアージャッキを拘束するためのエアージャッキ重ね使用補助具であって、偶数個の方形枠状部材を其々の辺でジグザグ状に伸縮可能に連結した枠状部材連結体と、前記枠状部材連結体の両自由端部に連結され、少なくとも一方面に摩擦係合面を有する一対の方形可撓板と、前記枠状部材連結体の連結部のうちの自由端部から数えて偶数番目の連結部の側の、前記方形枠状部材に連結され、少なくとも一方面に摩擦係合面を有する方形可撓板と、前記方形可撓板に両端が固定されてエアージャッキを拘束するための第１拘束ベルトと、前記方形可撓板に両端が固定され、前記第１拘束ベルトと交差方向に延びて、エアージャッキを拘束するための第２拘束ベルトと、を備える。
【０００８】
前記第１拘束ベルト及び前記第２拘束ベルトは、平ゴムベルトとすることができる。
【０００９】
前記第１拘束ベルトは、所定間隔をおいて複数本が平行に設けられ得る。
【００１０】
前記第２拘束ベルトは、所定間隔をおいて複数本が平行に設けられ得る。
【００１１】
前記方形枠状部材は、中空金属製角パイプによって方形枠状に形成され得る。
【００１２】
前記方形可撓板は、帆布製芯体の表裏に合成樹脂製カバー層が積層され、表裏の少なくとも一方の前記合成樹脂製カバー層の表面に前記摩擦係合面が形成され得る。
【００１３】
前記方形可撓板は、前記方形枠状部材と、該方形枠状部材の辺に沿って延びる帯状固定プレートとの間に挟持され得る。
【００１４】
前記摩擦係合面は、凹凸により形成され得る。
【発明の効果】
【００１５】
本発明に係るエアージャッキ重ね使用補助具によれば、エアージャッキで持ち上げるべき荷重物の荷重の作用下で、方形枠状部材に固定された方形可撓板がエアージャッキの周面に沿って撓むことでより広い面積で当接するとともに摩擦係合面により摩擦係合し、更に第１拘束ベルト又は第２拘束ベルトによりエアージャッキを方形可撓板上に拘束することにより、積み重ねたエアージャッキ同士の位置ズレを効果的に防止することができる。
【図面の簡単な説明】
【００１６】
【図１】本発明に係るエアージャッキ重ね使用補助具の第１実施形態を示す斜視図である。
【図２】図１のエアージャッキ重ね使用補助具を開いた状態で示す斜視図である。
【図３】図１のエアージャッキ重ね使用補助具を縦置きで使用した状態を示す斜視図である。
【図４】図１のエアージャッキ重ね使用補助具を示す平面図である。
【図５】図１のエアージャッキ重ね使用補助具の閉じた状態を示す側面図である。
【図６】図１のエアージャッキ重ね使用補助具の使用状態を示す側面図である。
【図７】図１のエアージャッキ重ね使用補助具の他の使用状態を示す側面図である。
【図８】図１のエアージャッキ重ね使用補助具の構成要素である方形可撓板を示す要部拡大断面図である。
【図９】本発明に係るエアージャッキ重ね使用補助具の第２実施形態を示す側面図である。
【図１０】図９のエアージャッキ重ね使用補助具の使用状態を示す側面図である。
【図１１】図９のエアージャッキ重ね使用補助具の他の使用状態を示す側面図である。
【発明を実施するための形態】
【００１７】
本発明に係るエアージャッキ重ね使用補助具の実施形態について、以下に図１〜図１１を参照して説明する。なお、全図及び全実施形態において、同一又は類似の構成部分には同符号を付した。
【００１８】
図１〜図８を参照して、本発明に係るエアージャッキ重ね使用補助具１の第１実施形態は、一対の方形枠状部材２Ａ、２Ｂを其々の辺で回動自在に連結した枠状部材連結体２と、枠状部材連結体２の両自由端部に連結され、一方面に摩擦係合面３ｆを有する一対の方形可撓板３Ａ、３Ｂと、方形可撓板３Ａに両端が固定されてエアージャッキを拘束するための第１拘束ベルト４と、方形可撓板３Ａに両端が固定され、第１拘束ベルト４と交差方向に延びて、エアージャッキを拘束するための第２拘束ベルト５と、を備える。
【００１９】
方形枠状部材２Ａ，２Ｂは、中空金属製角パイプを方形（正方形又は長方形）の枠状に溶接して形成されている。金属材料として、アルミ、ステンレス等が採用され得るが、軽量のアルミが好適に用いられる。中空角パイプを用い、枠状とすることにより、所要の剛性を保持しつつ軽量化を図ることができる。また、方形枠状部材は、所要の剛性を保持することができれば、軽量である方が好ましく、合成樹脂等により形成することもでき、合成樹脂の場合は中空で無く中実とすることもできる。
【００２０】
枠状部材連結体２の方形枠状部材２Ａ，２Ｂ同士の連結は、蝶番６により連結されている。枠状部材連結体２は、方形枠状部材２Ａ，２Ｂ同士が回動自在に連結されていればよく、蝶番に代えて、例えば、ゴム紐等で連結することもできる。
【００２１】
方形可撓板３Ａ，３Ｂは、引き裂き強度があり且つ滑りにくいものがよく、図８に示すように、帆布製芯体３ａの表裏に合成樹脂製カバー層３ｂ、３ｃが積層され、表側の合成樹脂製カバー層３ｂの表面に凹凸による摩擦係合面３ｆが形成され得る。図示しないが、摩擦係合面３ｆは、裏側のカバー層３ｃの表面に設けることもできる。芯体３ａは、綿繊維、ポリエステル繊維、芳香族ポリアミド繊維、ナイロン繊維等の伸びの少ない繊維で平織り、綾織り、朱子織り等で織成され、必要に応じて帆布製芯体３は熱可塑性樹脂であるポリウレタン、ポリ塩化ビニル（ＰＶＣ）樹脂液が含浸あるいはコーティング処理される。又、表裏のカバー層３ｂ、３ｃを形成する合成樹脂としては、ＮＢＲ、ＮＲ、ＳＢＲ、ＥＰＲ、ＥＰＤＭなどの合成ゴムが好ましい。方形可撓板３Ａ，３Ｂは、コンベアベルトのベルトを適宜寸法に裁断して利用することもでき、例えば、三ツ星ベルト株式会社製コンベアベルト「LOGISTAR」（登録商標）が利用され得る。方形可撓板３Ａ，３Ｂは、ゴム板とし、摩擦係数の大きなゴムのゴム摩擦により摩擦係合面を形成し得る。芯体３ａは、図示例では一層であるが、多層構造とすることもできる。
【００２２】
方形可撓板３Ａ、３Ｂは、方形枠状部材２Ａ、２Ｂと帯状固定プレート７との間に挟持されている。帯状固定プレート７は、方形枠状部材２Ａ、２Ｂの其々の自由端側の一辺に沿って延び、リベット、ボルト等の締結具８を用いて、方形枠状部材２Ａ，２Ｂに方形可撓板３Ａ、３Ｂを介して其々固定されている。帯状固定プレート７により方形可撓板３Ａ、３Ｂが方形枠状部材２Ａ，２Ｂにしっかり固定される。帯状固定プレート７には、ボルト等の締結具８の頭部（図示せず）を埋没させるための座繰り（図示せず。）を形成しておくことが好ましい。なお、方形可撓板３Ａ、３Ｂを方形枠状部材２Ａ，２Ｂに固定する方法として、種々の固定方法を採用することができ、例えば、図示しないが、方形枠状部材の周側面に形成したスリット又は溝に方形可撓板の端部を挿入しておいて、ボルト等により方形可撓板の当該端部を方形枠状部材に固定することもできる。
【００２３】
第１拘束ベルト４及び第２拘束ベルト５は、伸縮弾性を有する平ゴムベルトにより形成されている。図示例では、第１拘束ベルト４及び第２拘束ベルト５は、一方の方形可撓板３Ａにのみ取り付けられているが、他方の方形可撓板３Ｂにも取り付けることができる。また、図示例では、２本の第１拘束ベルト４が、互いに所定間隔をおいて平行に設けられ、其々の両端が方形可撓板３Ａにリベット等の固定金具９により固定されている。同様に、２本の第２拘束ベルト５が、互いに所定間隔をおいて平行に設けられ、其々の両端が方形可撓板３Ａにリベット等の固定金具９により固定されている。第１拘束ベルト４及び第２拘束ベルト５の本数は、方形可撓板３Ａ，３Ｂの大きさに応じて、適宜増減して設けることができる。第１拘束ベルト４及び第２拘束ベルト５は、伸縮性があって膨張したエアージャッキを拘束できる材料で形成されていればよい。
【００２４】
上記構成を有するエアージャッキ重ね使用補助具１は、図５に示すように、使用前においては、方形枠状部材２Ａ、２Ｂ同士が重なるように枠状部材連結体２を扁平に折り畳んでおくことができる。このように折り畳んだ状態で、重ねた方形枠状部材２Ａ、２Ｂは、枠状部材連結体２を手で持って運ぶことができる。方形枠状部材２Ａ，２Ｂは、枠状に形成することにより、手で持ちやすくなっている。また、折り畳み状態では、エアージャッキ重ね使用補助具１は、嵩張らず、収納にも便利である。
【００２５】
使用時は、図６に示すように、一対の方形可撓板３Ａ、３Ｂの間にエアージャッキＪを挟み、上部の方形可撓板３Ａと荷重物Ｆとの間にもう一つのエアージャッキＪを挟み込む。図６のエアージャッキＪは、エアーが圧入されて膨張した状態を示している。エアージャッキＪは、膨張される前、即ち扁平な状態で２本の第２拘束ベルト５に挿通された後にエアーが圧入され、エアー圧入によるエアージャッキＪの膨張に伴って第２拘束ベルト５も弾性的に伸びている。図６において、符号Ｊｈはエアージャッキ本体に接続されたエアー圧入用ホースを示し、符号Ｊｃはホースカプラを示す。
【００２６】
図６に示すように、エアージャッキ重ね使用補助具１は、方形可撓板３Ａ，３Ｂが方形枠状部材２Ａ，２Ｂとの連結部付近Ｘで撓むことができるので、方形枠状部材２Ａ，２Ｂに方形可撓板３Ａ，３Ｂを連結するために蝶番を用いる必要が無く、方形可撓板３Ａ，３Ｂを直接、方形枠状部材２Ａ，２Ｂに固定することができる。そのため、構造が簡素化され、製造工数が減る。
【００２７】
荷重物Ｆの荷重の作用下で、方形可撓板３Ａ，３Ｂの摩擦係合面３ｆがエアージャッキＪをしっかりと捉え、エアージャッキＪの膨張時の位置ズレを防止する。また、方形枠状部材２Ａ，２Ｂは、金属製角パイプで形成する等により、ある程度の剛性を備えることで、エアージャッキＪの膨張時に方形可撓板３Ａ、３Ｂの位置ズレを防ぐことができる。また、第２拘束ベルト５がエアージャッキＪの膨張時の位置ズレを効果的に防ぐ。
【００２８】
第１拘束ベルト４は、図７に示すように、エアージャッキＪの向きを変えて使用する際に用いられる。この場合には、第１拘束ベルト４により、エアージャッキＪが拘束される。
【００２９】
互いに交差方向に延びる第１拘束ベルト４と第２拘束ベルト５とを設けることにより、使用する現場の状況に応じて、エアージャッキＪの向きを９０°変えることができる。例えば、瓦礫の隙間で横幅が小さく、奥行きの有るような隙間には、図６の状態で矢印Ａ方向にエアージャッキＪを挿入する。瓦礫の隙間で横幅が大きいが奥行きが無いような隙間には、図７の状態で矢印Ｂ方向にエアージャッキＪを挿入する。
【００３０】
図６に示された使用態様で、瓦礫の隙間で横幅が小さい場合において、例えば、下段のエアージャッキＪのホースＪｈ及びホースカプラＪｃを方形枠状部材２Ａの枠内開口から引き出してエアー注入を行うことができ、また、枠内開口からエアージャッキＪの膨張度合を目視できる。
【００３１】
エアージャッキ重ね使用補助具１は、図６及び図７に示されるように方形枠状部材２を横に寝かせるのではなく、図３に示すように、接地面上に方形枠状部材２を立てて使用することもでき、隙間を左右方向に広げるのに用いられ得る。
【００３２】
図９〜図１１は、本発明に係るエアージャッキ重ね使用補助具の第２実施形態を示している。第２実施形態の平面図は、第１実施形態の平面図と同じであるので図示を省略している。
【００３３】
第２実施形態のエアージャッキ重ね使用補助具１は、エアージャッキＪの３段重ね用の補助具である。図１０はエアージャッキＪを縦方向（エアージャッキ重ね使用補助具の長さ方向）に重ねた例を示しており、図１１はエアージャッキＪを横方向（エアージャッキ重ね使用補助具の長さ方向と交差する方向）に重ねた例を示している。
【００３４】
第２実施形態のエアージャッキ重ね使用補助具１は、偶数個（図示例では４個）の方形枠状部材２Ａ、２Ｂ，２Ｃ、２Ｄを其々の辺でジグザグ状に伸縮可能に連結した枠状部材連結体２と、枠状部材連結体２の両自由端部に連結され、少なくとも一方面に摩擦係合面（図示せず。）を有する一対の方形可撓板３Ａ、３Ｂと、枠状部材連結体２の連結部のうちの自由端部から数えて偶数番目の連結部の側の、方形枠状部材２Ｄの一辺に連結され、少なくとも一方面に摩擦係合面（図示せず。）を有する方形可撓板３Ｃと、方形可撓板３Ａ、３Ｃに其々の両端が固定されてエアージャッキを拘束するための第１拘束ベルト４と、方形可撓板３Ａ、３Ｃに其々の両端が固定され、第１拘束ベルト４と交差方向に延びて、エアージャッキＪを拘束するための第２拘束ベルト５と、を備える。第１拘束ベルト４及び第５拘束ベルト５は、方形可撓板３Ｂに設けることもできる。方形可撓板３Ｃは、方形枠状部材２Ｃに連結してもよい。
【００３５】
第２実施形態の使用方法及び作用効果については、上記第１実施形態と同様であるので詳細な説明を省略する。
【００３６】
当業者に明らかなように、エアージャッキ重ね使用補助具は、重ねるエアージャッキの段数に応じて、方形可撓板の数と方形枠状部材の数を増やした構成とすることができる。
【００３７】
本発明は、上記実施形態に限定されるものではなく、本発明の趣旨を逸脱しない範囲において種々の変更が可能である。
【符号の説明】
【００３８】
１  エアージャッキ重ね使用補助具
２  枠状部材連結体
２Ａ，２Ｂ，２Ｃ，２Ｄ  方形枠状部材
３Ａ，３Ｂ，３Ｃ  方形可撓板
４  第１拘束ベルト
５  第２拘束ベルト
６  蝶番
７  帯状固定プレート
【図１】
0006595312.tif 000002
【図２】
0006595312.tif 000003
【図３】
0006595312.tif 000004
【図４】
0006595312.tif 000005
【図５】
0006595312.tif 000006
【図６】
0006595312.tif 000007
【図７】
0006595312.tif 000008
【図８】
0006595312.tif 000009
【図９】
0006595312.tif 000010
【図１０】
0006595312.tif 000011
【図１１】
0006595312.tif 000012